(57)【要約】【課題】エアコンの室内機から引き出された配管及び配線の室内側の見栄えを向上する。【解決手段】エアコンの室内機５０に接続され壁孔５２を通して室外へと配管される冷媒管４０及びドレンホース４１は配管カバー１０内に収容配管する。一方、室内機５０と繋がるケーブル４２は、配管カバー１０内に配線した後、配管カバー１０における室内機５０と壁孔５２との間の経路途中から引き出して室内のコンセント６０に接続する。そして、配管カバー１０からコンセント６０までのケーブル４２の室内側への露出箇所の全体は、ケーブル化粧カバー２０とコンセントカバー３０とにより覆い隠した。ここで、ケーブル化粧カバー２０には、配管カバー側接続体２５及びコンセントカバー側接続体２６が含まれる。【選択図】図１
2019196893.tif 000002
【特許請求の範囲】
【請求項１】
エアコンの室内機に接続され壁孔を通して室外へと配管される冷媒管及びドレンホースの少なくとも一方を内部に収容する配管カバー内に配線されるとともに室内機と繋がるケーブルが、前記配管カバーにおける前記室内機と前記壁孔との間の経路途中から引き出されて室内のコンセントに接続され、
前記配管カバーから前記コンセントまでの前記ケーブルの室内側への露出箇所の全体が、前記ケーブルの配線経路を構成するケーブル化粧カバーと前記コンセントを覆うコンセントカバーとにより、覆い隠されている
ことを特徴とするエアコン室内側の配線及び配管の化粧構造。
【請求項２】
前記ケーブルの余長部が前記配管カバー内に収められていることを特徴とする請求項１に記載のエアコン室内側の配線及び配管の化粧構造。
【請求項３】
前記配管カバーが構成する配管経路は、同一断面が連続する直状配管カバーと、該直状配管カバーと接続される配管カバー用付属カバーと、により構成され、
前記直状配管カバーは、壁面に固定される直状カバー基台と、該基台に組付けられて内部に前記配管経路を構成する直状カバー蓋体と、からなり、前記ケーブルの引出し箇所は、前記蓋体の前記壁面側の端縁から切欠かれて構成されていることを特徴とする請求項１または請求項２に記載のエアコン室内側の配線及び配管の化粧構造。
【請求項４】
前記ケーブルの引出し箇所は、前記ケーブル化粧カバーと接続される配管カバー側接続体によって覆い隠されていることを特徴とする請求項３に記載のエアコン室内側の配線及び配管の化粧構造。
【請求項５】
前記コンセントカバーは、前記コンセントに固定される固定部を有するとともに、前記コンセントの全体を取り囲む周壁及び該周壁の一端側を繋ぐ天壁を備え、前記コンセントに前記ケーブルを接続した状態でその全体を覆い隠す内部空間が形成されており、
前記周壁には、前記ケーブルが引き込まれる引込口が形成され、
該引込口は、前記ケーブル化粧カバーと接続されるコンセントカバー側接続体によって覆い隠されていることを特徴とする請求項１乃至請求項４のいずれかに記載のエアコン室内側の配線及び配管の化粧構造。
【請求項６】
前記配管カバー側接続体と前記コンセントカバー側接続体とは、同一形状に形成されていることを特徴とする請求項５に記載のエアコン室内側の配線及び配管の化粧構造。
【請求項７】
エアコンの室内機に接続され壁孔を通して室外へと配管される冷媒管が配管カバーの内部に収容されて、前記室内機から前記壁孔までの前記冷媒管の室内側への露出箇所の全体が前記配管カバーにより覆い隠されており、
前記室内機と繋がり前記室内のコンセントに接続されるケーブルの前記室内側への露出箇所の全体が、前記ケーブルの配線経路を構成するケーブル化粧カバーと前記コンセントを覆うコンセントカバーとにより覆い隠されている
ことを特徴とするエアコン室内側の配線及び配管の化粧構造。
【請求項８】
前記コンセントカバーは、前記コンセントに固定される固定部を有するとともに、前記コンセントの全体を取り囲む周壁及び該周壁の一端側を繋ぐ天壁を備え、前記コンセントに前記ケーブルを接続した状態でその全体を覆い隠す内部空間が形成されており、
前記周壁には、前記ケーブルが引き込まれる引込口が形成され、
該引込口は、前記ケーブル化粧カバーと接続されるコンセントカバー側接続体によって覆い隠されていることを特徴とする請求項７に記載のエアコン室内側の配線及び配管の化粧構造。
【請求項９】
固定部を有する板状部及び該板状部の両脇に立設する側壁を有した、壁面に固定される配管カバー基台と、該配管カバー基台の各側壁に形成された被嵌合部と嵌合する嵌合部を内側に有する一対の側板部及び該側板部を繋ぐ天板部を有し、前記配管カバー基台と互いに組付けられて内部に配線・配管経路を構成する配管カバー蓋体と、からなり、内部に冷媒管及びドレンホースの少なくとも一方が収容される配管カバーと、
前記配管カバーの途中から引き出されたケーブルを覆うケーブル化粧カバーと接続される接続口を一端に備えるとともに、他端に開口が形成され、前記ケーブルが通過可能な接続体と、
からなる配管カバーと接続体との装置であって、
前記配管カバー蓋体の側板部の先端は、該配管カバー蓋体が前記配管カバー基台に組付けられた状態で前記壁面に略接するよう形成され、
前記接続体の開口の高さは、前記配管カバー基台の側壁の高さより大きいことを特徴とする配管カバーと接続体との装置。
【発明の詳細な説明】
【技術分野】
【０００１】
本発明は、エアコンの室内機に接続される冷媒管等の配管、及び室内機と室内のコンセントとの間に接続されるケーブル等の配線を覆い、室内側のこれらの配管及び配線を化粧するエアコン室内側の配線及び配管の化粧構造、並びに配管カバーと接続体との装置に関する。
【背景技術】
【０００２】
エアコンの室内機には冷媒管及びドレンホースが接続され、これらの配管は室内の壁面を伝って壁孔から室外に通されて、冷媒管は室外機に接続され、ドレンホースは地面付近に配管される。また、室内機から引き出されたケーブルは、室内のコンセントに接続されている。ここで、冷媒管及びドレンホースについては、これらの室内外観あるいは保護の点から、特許文献１等にも記載されているように、室内機から壁孔に至る配管経路はダクト等からなる配管カバーで覆われている。
【先行技術文献】
【特許文献】
【０００３】
【特許文献１】特開２０１４−１０２００３号公報
【発明の概要】
【発明が解決しようとする課題】
【０００４】
しかし、従来は、室内側において冷媒管等の配管については、配管カバーで覆われてはいるものの、ケーブル等の配線については、室内機からコンセントに至る配線経路において何ら覆われておらず、露出したままの状態にあったので、室内外観としての見栄えが良くなかった。
【０００５】
そこで、本発明は、エアコンの室内機から引き出された配管及び配線の室内側の見栄えを向上できる、エアコン室内側の配線及び配管の化粧構造、並びに配管カバーと接続体との装置の提供を課題とするものである。
【課題を解決するための手段】
【０００６】
請求項１のエアコン室内側の配線及び配管の化粧構造は、エアコンの室内機に接続され壁孔を通して室外へと配管される冷媒管及びドレンホースの少なくとも一方を内部に収容する配管カバー内に配線されるとともに室内機と繋がるケーブルが、前記配管カバーにおける前記室内機と前記壁孔との間の経路途中から引き出されて室内のコンセントに接続され、前記配管カバーから前記コンセントまでの前記ケーブルの室内側への露出箇所の全体が、前記ケーブルの配線経路を構成するケーブル化粧カバーと前記コンセントを覆うコンセントカバーとにより、覆い隠されたものである。
【０００７】
請求項２のエアコン室内側の配線及び配管の化粧構造は、特に、ケーブルの余長部が前記配管カバー内に収められたものである。
請求項３のエアコン室内側の配線及び配管の化粧構造は、特に、配管カバーが構成する配管経路は、同一断面が連続する直状配管カバーと、該直状配管カバーと接続される配管カバー用付属カバーと、により形成され、前記直状配管カバーは、壁面に固定される直状カバー基台と、該基台に組付けられて内部に配管経路を構成する直状カバー蓋体と、からなり、前記ケーブルの引出し箇所は、前記蓋体の前記壁面側の端縁から切欠かれて構成されている。
【０００８】
請求項４のエアコン室内側の配線及び配管の化粧構造は、特に、ケーブルの引出し箇所が、前記ケーブル化粧カバーと接続される配管カバー側接続体によって覆い隠されたものである。
請求項５のエアコン室内側の配線及び配管の化粧構造は、コンセントカバーが、前記コンセントに固定される固定部を有するとともに、前記コンセントの全体を取り囲む周壁及び該周壁の一端側を繋ぐ天壁を備え、前記コンセントに前記ケーブルを接続した状態でその全体を覆い隠す内部空間が形成されており、前記周壁には、前記ケーブルが引き込まれる引込口が形成され、前記引込口は、前記ケーブル化粧カバーと接続されるコンセントカバー側接続体によって覆われたものである。
請求項６のエアコン室内側の配線及び配管の化粧構造は、前記配管カバー側接続体と前記コンセントカバー側接続体とが、同一形状に形成されたものである。
【０００９】
請求項７のエアコン室内側の配線及び配管の化粧構造は、エアコンの室内機に接続され壁孔を通して室外へと配管される冷媒管が配管カバーの内部に収容されて、前記室内機から前記壁孔までの前記冷媒管の室内側への露出箇所の全体が前記配管カバーにより覆い隠されており、前記室内機と繋がり前記室内のコンセントに接続されるケーブルの前記室内側への露出箇所の全体が、前記ケーブルの配線経路を構成するケーブル化粧カバーと前記コンセントを覆うコンセントカバーとにより覆い隠されたものである。
請求項８のエアコン室内側の配線及び配管の化粧構造は、請求項７において請求項５と同様の特徴を有する。
【００１０】
請求項９の配管カバーと接続体との装置は、固定部を有する板状部及び該板状部の両脇に立設する側壁を有した、壁面に固定される配管カバー基台と、該配管カバー基台の各側壁に形成された被嵌合部と嵌合する嵌合部を内側に有する一対の側板部及び該側板部を繋ぐ天板部を有し、前記配管カバー基台と互いに組付けられて内部に配線・配管経路を構成する配管カバー蓋体と、からなり、内部に冷媒管及びドレンホースの少なくとも一方が収容される配管カバーと、
前記配管カバーの途中から引き出されたケーブルを覆うケーブル化粧カバーと接続される接続口を一端に備えるとともに、他端に開口が形成され、前記ケーブルが通過可能な接続体と、からなり、
前記配管カバー蓋体の側板部の先端は、該配管カバー蓋体が前記配管カバー基台に組付けられた状態で前記壁面に略接するよう形成され、前記接続体の開口の高さは、前記配管カバー基台の側壁の高さより大きいものである。
【発明の効果】
【００１１】
本発明は、エアコンの室内機に接続される冷媒管等の配管は、室内機から壁孔までの室内側への露出箇所の全体が配管カバーにより覆い隠されている。また、前記室内機と繋がるケーブルは、配管とともに配管カバー内に収容されるとともに、配管カバーにおける室内機と壁孔との間の経路途中から引き出されて室内のコンセントに接続され、配管カバーからコンセントまでの露出箇所の全体が、ケーブル化粧カバーとコンセントカバーとにより覆い隠されている。あるいは、前記ケーブルは、室内機からコンセントまでの露出箇所の全体が、ケーブル化粧カバーとコンセントカバーとにより覆い隠されている。したがって、エアコンの室内機から引き出された配管及び配線の室内側全体としての見栄えが向上する。
【図面の簡単な説明】
【００１２】
【図１】本発明の実施形態の配線及び配管の化粧構造の概略図である。
【図２】図１のケーブルを覆うカバー類の要部斜視図である。
【図３】図１のケーブルを覆うカバー類の要部正面図である。
【図４】図１の配管カバーを示し、(a)は分解斜視図、(b)はケーブルの引出し箇所を示す斜視図である。
【図５】図３のＡ−Ａ切断線による断面図である。
【図６】図１のケーブル化粧カバーの直状ケーブルカバーを示す縦断面図である。
【図７】図１のケーブル化粧カバーの曲がり部ケーブルカバーを示す斜視図である。
【図８】図１の配管カバー側接続体を示し、(a)は平面図、(b)は斜視図、(c)は正面図、(d)は右側面図である。
【図９】図１のコンセントカバーの断面図である。
【図１０】図２とは別のケーブルを覆うカバー類の要部斜視図である。
【発明を実施するための形態】
【００１３】
以下、本発明の実施形態におけるエアコン室内側の配線及び配管の化粧構造、並びに配管カバーと接続体との装置を図に基づいて説明する。
【００１４】
図１において、エアコンの室内機５０からは、配管である冷媒管４０及びドレンホース４１が引き出されており、これらの配管は、室内の壁面５１を伝って壁孔５２から室外に通され、更に、図示しないが、冷媒管４０は室外機に接続され、ドレンホース４１は地面付近まで配管される。そして、冷媒管４０及びドレンホース４１は、図１に示すように、室内機５０から壁孔５２に至るまでの経路全体において配管カバー１０の内部に収容され覆い隠されている。
【００１５】
一方、室内機５０と繋がるケーブル４２は、図１に示すように、冷媒管４０及びドレンホース４１とともに室内機５０から引き出された後、配管カバー１０内に配線され、配管カバー１０における室内機５０と壁孔５２との間の経路途中から冷媒管４０等とは別個に引き出され、先端に取り付けられたプラグ４３が差し込まれることにより室内の壁面５１に設置されたコンセント６０に下方側から接続されている。そして、ケーブル４２は、配管カバー１０からコンセント６０までの室内側への露出箇所の全体が、図２及び図３に示す、ケーブル４２の配線経路を構成するケーブル化粧カバー２０と、コンセント６０を覆うコンセントカバー３０と、により覆い隠されている。ここで、コンセントカバー３０により覆い隠されるケーブル４２の部分は、コンセントカバー３０内におけるプラグ４３との接続部周辺部分である。
【００１６】
これら全体の構成により、エアコン室内側の配線及び配管の化粧構造１が構成されている。また、配管カバー１０と、配管カバー１０の途中でケーブル４２が引き出される引出し箇所１５に接続される後述の配管カバー側接続体２５と、により、配管カバーと接続体との装置が構成されている。
【００１７】
以下、更に詳細に説明すれば、配管カバー１０が構成する配管経路は、図５に示すように、同一断面が連続する直状配管カバー１１と、直状配管カバー１１と接続される配管カバー用付属カバー１４と、により構成されている。なお、図５は、図３のＡ−Ａ切断線による断面図であるが、見易くするため、上下反転して記載してある。直状配管カバー１１は、壁面５１に固定される直状カバー基台１２と、直状カバー基台１２に組付けられて内部に配管経路を構成する直状カバー蓋体１３と、からなる。なお、直状カバー基台１２は、配管カバー基台とも称する。また、直状カバー蓋体１３は、配管カバー蓋体とも称する。直状カバー基台１２は、壁面５１に固定され、図示しないがビス孔からなる固定部を有する板状部１２ａ及び板状部１２ａの両脇に立設する側壁１２ｂを有している。
【００１８】
直状カバー蓋体１３は、一対の側板部１３ａ，１３ａ及び側板部１３ａ，１３ａを繋ぐ天板部１３ｂを有し、側板部１３ａは、直状カバー基台１２の各側壁１２ｂに形成された被嵌合部１２ｃと嵌合する嵌合部１３ｃを内側に有している。直状カバー蓋体１３の側板部１３ａの先端１３ｄは、直状カバー基台１２に組付けられた状態で壁面５１に略接するよう形成されている。直状カバー基台１２と直状カバー蓋体１３とは、互いに組付けられて内部に配線・配管経路を形成している。
【００１９】
更に、配管カバー１０の途中には、室内機５０から引き出されたケーブル４２を配管カバー１０の側方に引き出す引出し箇所１５が設けられており、その引出し箇所１５は、直状カバー蓋体１３の壁面５１側の端縁１３ｅから切欠かれて構成されている。
なお、ケーブル４２に余長部が生じた場合は、配管カバー１０内に収められる。
【００２０】
一方、ケーブル４２の配線経路を構成するケーブル化粧カバー２０は、図３及び図５に示すように、同一断面が連続する直状ケーブルカバー２１と、ケーブル４２の配線経路の曲がり部に設けられ、両端部に直交二方向からの直状ケーブルカバー２１が接続される曲がり部ケーブルカバー２４と、からなり、これらの部材は合成樹脂により形成されている。
【００２１】
直状ケーブルカバー２１は、図６に示すように、断面が一定の四角枠状に形成され、壁面５１に固定されるケーブルカバー基台２２と、ケーブルカバー基台２２に組付けられて内部に配線経路を構成するケーブルカバー蓋体２３と、で形成されている。ケーブルカバー基台２２は、図示しないがビス孔からなる固定部を有する板状部２２ａ及び板状部２２ａの両脇に立設する側壁２２ｂを有し、壁面５１に固定される。ケーブルカバー蓋体２３は、ケーブルカバー基台２２の各側壁２２ｂに形成された嵌合部２２ｃと嵌合する被嵌合部２３ｃを内側に有する一対の側板部２３ａ，２３ａ及び側板部２３ａ，２３ａを繋ぐ天板部２３ｂを有し、ケーブルカバー基台２２と互いに組付けられて内部にケーブル４２の配線経路を構成する。曲がり部ケーブルカバー２４は、図７に示すように、エルボ状に屈曲した形状をなす。曲がり部ケーブルカバー２４は、ケーブルカバー基台２２に相当するものはなく、ケーブルカバー蓋体２３に相当するもののみで構成されているが、両端側に接続されている直状ケーブルカバー２１が壁面５１に固定されることにより一定位置に配置される。
【００２２】
ケーブル化粧カバー２０の配管カバー１０側の端部には、一端にケーブル化粧カバー２０に接続される接続口２５ａを備え、他端に配管カバー１０の引出し箇所１５に接続される開口２５ｂが形成され、ケーブル化粧カバー２０と配管カバー１０の引出し箇所１５との間のケーブル４２を覆い隠す配管カバー側接続体２５が設けられている。配管カバー側接続体２５は、図８に示すように、ケーブル化粧カバー２０側の端部の接続口２５ａは、内面にケーブル化粧カバー２０が嵌合する形状に形成され、配管カバー１０の引出し箇所１５側は、周壁が上方及び両側方に直線的に高さ及び幅が拡大していく形状に形成されている。
【００２３】
そして、図５に示す、開口２５ｂの高さＬ１すなわち壁面５１に固定された状態での壁面５１から開口２５ｂの頂部までの高さＬ１は、配管カバー１０の直状カバー基台１２の側壁１２ｂの高さＬ２より大きく形成されており、ケーブル４２が開口２５ｂにおける直状カバー基台１２の側壁１２ｂの上方の空間を挿通可能な大きさに形成されている。つまり、配管カバー側接続体２５の実質的な開口２５ｂは直状カバー基台１２の側壁１２ｂの上方に存在する。したがって、配管カバー１０の直状カバー蓋体１３を端縁１３ｅから切り込み加工するのみで、配管カバー１０内のケーブル４２は直状カバー基台１２の側壁１２ｂを乗り越えてケーブル化粧カバー２０内に配線可能となっている。なお、配管カバー側接続体２５は、広義には、ケーブル化粧カバー２０に含まれる。
【００２４】
コンセントカバー３０は、図９に示すように、コンセント６０に固定される固定部を有するとともに、コンセント６０全体を取り囲む周壁３１及び周壁３１の一端側を繋ぐ天壁３２を備え、コンセント６０にケーブル４２を接続した状態でその全体を覆い隠す内部空間３３が形成されている。より具体的には、コンセントカバー３０は、合成樹脂製のベース３４とカバー３５とで構成されており、ベース３４は、前記固定部を構成するものであり、全体がコ字板状に形成され、ビス６１を壁裏のコンセント固定体６２に取り付けることにより、コンセント６０の取付枠６３と壁面５１とで挟持され、コンセント６０に固定される。
【００２５】
カバー３５は、コンセント６０、これに差し込まれたプラグ４３及び取付枠６３の前方からこれら全体に被せてベース３４に嵌合あるいはビス止め等の手段により取り付けられる。コンセントカバー３０の周壁３１には、ケーブル４２が引き込まれる引込口３５ａが形成されている。本実施形態において、引込口３５ａは、コ字状あるいはＵ字状に形成され、図９においてコンセントカバー３０の底面部となる周壁３１の中央部分に設けられている。引込口３５ａは、ニッパ等の工具を用いて切り欠いたり、ノックを打ち抜いたり、予め引込み開口に取り付けておいたキャップを取り外すなどして形成することができる。
【００２６】
コンセントカバー３０の引込口３５ａは、図９に示すように、他端がケーブル化粧カバー２０と接続されるコンセントカバー側接続体２６によって覆われている。コンセントカバー側接続体２６は、配管カバー側接続体２５と同一形状に形成されている。コンセントカバー側接続体２６の開口２６ａは、コンセントカバー３０のケーブル４２が引き込まれる引込口３５ａより大きく形成されており、引込口３５ａ全体はコンセントカバー側接続体２６によって覆い隠されている。
【００２７】
次に、上記のように構成された配線及び配管の化粧構造１において、冷媒管４０、ドレンホース４１及びケーブル４２を一体に覆い隠す配管カバー１０を壁面５１に取り付けるには、ビスを使用して直状カバー基台１２を壁面５１に固定した後、その上方から直状カバー蓋体１３を被せてそのまま押し付けることにより、一対の側板部１３ａ，１３ａの嵌合部１３ｃ，１３ｃを直状カバー基台１２の一対の側壁１２ｂ，１２ｂの被嵌合部１２ｃ，１２ｃに弾性的に嵌合させればよい。
【００２８】
配管カバー１０における室内機５０と壁孔５２との間の経路途中から引き出されたケーブル４２を覆い隠すケーブル化粧カバー２０を壁面５１に取り付けるには、ケーブル化粧カバー２０の仮組み付けあるいは寸法出しによって直状ケーブルカバー２１の固定位置を決め、この直状ケーブルカバー２１を配管カバー１０と同様にしてケーブルカバー基台２２をビスを使用して壁面５１に固定してからケーブルカバー蓋体２３を被せて嵌合により取り付け、直状ケーブルカバー２１を設置した後、直状ケーブルカバー２１の両端部外面に接着剤を塗布し、曲がり部ケーブルカバー２４、配管カバー側接続体２５及びコンセントカバー側接続体２６を上方から外嵌して組み付ける。但し、ケーブル化粧カバー２０の取付方法はこれに限られるものではない。
【００２９】
次に、本実施形態の配線及び配管の化粧構造の作用を説明する。
化粧構造１において、室内機５０に接続されている冷媒管４０等の配管は、配管カバー１０の内部に収容されている。また、室内機５０と繋がるケーブル４２は、配管カバー１０内に配線されるとともに、配管カバー１０における室内機５０と壁孔５２との間の経路途中から引き出されて室内のコンセント６０に接続され、配管カバー１０からコンセント６０までのケーブル４２の室内側への露出箇所の全体は、ケーブル化粧カバー２０とコンセントカバー３０とにより覆い隠されている。したがって、エアコンの室内機５０から引き出された配管及び配線の室内側全体としての見栄えが向上する。
【００３０】
また、冷媒管４０等の配管及びケーブル４２は、これらのカバーにより、他の物体と干渉するのが防止され保護される。そして、ケーブル４２は、途中までは冷媒管４０等を収容する配管カバー１０を利用して覆い隠され、保護されるので、部品点数が削減され、部品コストが低減する。
【００３１】
なお、上記実施形態では、ケーブル４２はコンセントカバー３０の底面に下方側から接続されているが、コンセント６０に対してプラグ４３が横向きに差し込まれる場合は、ケーブル４２は、コンセントカバー３０の側方の周壁３１から挿入される。この場合、図１０に示すように、ケーブル化粧カバー２０は、配管カバー１０とコンセントカバー３０との間に横方向に取り付けられ、一つの直状ケーブルカバー２１と配管カバー側接続体２５とコンセントカバー側接続体２６とで構成される。
【００３２】
ところで、上記実施形態の配管カバー１０は、直状配管カバー１１で説明したが、前述した配管カバー用付属カバー１４のように、直状配管カバー１１を接続する接続口を備えた、屈曲する配管経路を内部に構成する曲がりカバー（例えば、特許文献１に記載の、出入隅用化粧カバーＢの第１カバー４とか第２カバー５）や、壁孔５２を覆い隠す壁孔覆いカバー（例えば、特許文献１の段落３６、図１に記載の、貫通孔１から室内側に導出された曲がり配管部分を覆う合成樹脂製のコーナー用化粧カバーＣ）などの、直状配管カバー１１と接続される付属カバーも含まれる。そして、本発明を実施する場合は、ケーブル４２の引き出される箇所は、付属カバーである場合も含まれる。
【００３３】
また、上記実施形態において、ケーブル４２の配線経路は、その途中まで配管カバー１０内を配線経路として利用しているが、コンセント６０の位置と壁孔５２の位置とによっては、配管カバー１０内を配線経路として利用することなく、ケーブル４２を配線した方が美観に優れる場合がある。この場合は、室内機５０から壁孔５２までの間で室内に露出する冷媒管４０を覆い隠す配管カバー１０が構成する配管経路と、室内機５０からコンセント６０までの間で室内に露出するケーブル４２を覆い隠すケーブル化粧カバー２０が構成する配線経路とを、それぞれ独立して設置してもよい。
【００３４】
加えて、上記実施形態のコンセントカバー３０に接続されるコンセントカバー側接続体２６は、配管カバー１０に接続される配管カバー側接続体２５と同一形状に形成されているが、配管カバー側接続体２５と異なる形状に形成してもよい。
【００３５】
また、上記実施形態の直状カバー基台１２及びケーブルカバー基台２２は、ビスを使用して壁面５１に固定しているが、他の、接着剤や両面接着テープ等による接着手段、あるいは、先に壁面５１に係合用のビスを取り付け、直状カバー基台１２にだるま孔等の係止孔を形成し、この係止孔にビスの頭部を挿通させてから直状カバー基台１２をスライド移動させて係止させる係止手段などにより固定してもよい。ケーブルカバー基台２２についても同様である。
【００３６】
更に、上記実施形態の配管カバー１０の直状配管カバー１１は、直状カバー基台１２と直状カバー蓋体１３とで構成されているが、直状カバー蓋体１３のみで構成することも可能である。この場合、直状カバー蓋体１３は、例えば、壁面５１と当接する側に内部側に屈曲するフランジを設け、このフランジに両面接着テープを貼着するなどして壁面５１に固定する。これは、ケーブル化粧カバー２０のケーブルカバー基台２２とケーブルカバー蓋体２３とで構成される直状ケーブルカバー２１についても同様である。
【００３７】
そして、配管カバー１０は、直状カバー蓋体１３の側板部１３ａの先端１３ｄが、直状カバー蓋体１３が直状カバー基台１２に組付けられた状態で、壁面５１に略接するよう形成されているが、必ずしもこれに限られるものではなく、直状カバー蓋体１３の側板部１３ａは、直状カバー基台１２に組付けられた状態で先端１３ｄが壁面５１から所定距離離間したものとしてもよく、あるいは、直状カバー蓋体１３は、天板部１３ｂのみを有するものとしてもよい。これらの場合、配管カバー１０におけるケーブル４２の引出し箇所１５は、直状カバー基台１２に形成することができる。
【００３８】
なお、上記実施形態の配管カバー１０、ケーブル化粧カバー２０等に収容されるケーブル４２には、アース線も含まれる。また、本発明の配線は、ケーブル以外のものにも適用し得る。
更に、上記実施形態では、配管カバー１０に冷媒管４０及びドレンホース４１を収容しているが、これらのいずれかのみを収容してもよい。
【符号の説明】
【００３９】
１  配線及び配管の化粧構造          ２５ａ  接続口
２  配管カバーと接続体との装置      ２５ｂ  開口
１０  配管カバー                      ２６  コンセントカバー側接続体
１１  直状配管カバー                  ３０  コンセントカバー
１２  直状カバー基台                  ３１  周壁
１２ａ  板状部                        ３２  天壁
１２ｂ  側壁                          ３３  内部空間
１２ｃ  被嵌合部                      ３４  ベース
１３  直状カバー蓋体                  ３５  カバー
１３ａ  側板部                        ３５ａ  引込口
１３ｂ  天板部                        ４０  冷媒管
１３ｃ  嵌合部                        ４１  ドレンホース
１３ｄ  先端                          ４２  ケーブル
１３ｅ  端縁                          ５０  室内機
１４  配管カバー用付属カバー          ５１  壁面
１５  引出し箇所                      ５２  壁孔
２０  ケーブル化粧カバー              ６０  コンセント
２１  直状ケーブルカバー              Ｌ１  配管カバー側接続体の開口の高さ
２４  曲がり部ケーブルカバー          Ｌ２  直状カバー基台の側壁の高さ
２５  配管カバー側接続体
【図１】
2019196893.tif 000003
【図２】
2019196893.tif 000004
【図３】
2019196893.tif 000005
【図４】
2019196893.tif 000006
【図５】
2019196893.tif 000007
【図６】
2019196893.tif 000008
【図７】
2019196893.tif 000009
【図８】
2019196893.tif 000010
【図９】
2019196893.tif 000011
【図１０】
2019196893.tif 000012